(57)【特許請求の範囲】
【請求項１】
自動呼出同期システムであって、無線信号転送装置、無線通信モジュールを有する少なくとも１つの移動端末、無線通信モジュールを有する固定端末、及び前記無線信号転送装置に接続されるパターン認識装置を備え、
前記移動端末は、着信呼出信号を受信し、且つ自動呼出同期機能をオンにしたと確定したとき、前記移動端末の識別情報及び呼出情報を保有する呼出同期要求を前記無線信号転送装置に送信するものであり、
前記パターン認識装置は、前記無線信号転送装置から転送される呼出同期要求を受信した後、前記移動端末の識別情報に応じて前記移動端末を認証し、認証が成功した後、前記無線信号転送装置により、前記移動端末の識別情報及び呼出情報を保有する呼出アクセス要求を前記固定端末に送信するものであり、
前記固定端末は、前記呼出アクセス要求を受信した後、前記移動端末の識別情報及び呼出情報に応じて前記移動端末のユーザを呼出し、前記ユーザが前記固定端末を用いて呼出を受話するとき、前記無線信号転送装置に呼出アクセス応答を送信し、前記固定端末にマッチングされる固定電話運用ネットワークにより通話を実現するものであり、
前記ユーザが前記固定端末を用いて呼出を受話することが決定された後、
前記移動端末は、さらに、前記ユーザが前記移動端末を用いて受話すると確定したとき、前記無線信号転送装置により、前記移動端末の識別情報を保有する通話アクセス要求を前記パターン認識装置に送信するものであり、
前記パターン認識装置は、さらに、前記無線信号転送装置から転送される前記呼出アクセス応答及び前記通話アクセス要求を受信した後、前記移動端末の識別情報に応じて前記移動端末を認証し、認証が成功した後、前記無線信号転送装置により前記移動端末と前記固定端末との間の通信路を確立するものであり、
前記移動端末と前記固定端末と発呼者との間で同時に三者会話を行うために、前記移動端末と前記固定端末との間で無線ネットワークを介して前記固定端末に配信された後、前記固定端末に整合した前記固定電話運用ネットワークを用いて前記発呼者と前記移動端末との間の会話を実現する
ことを特徴とする自動呼出同期システム。
【請求項２】
前記パターン認識装置は、さらに、前記移動端末が前記無線信号転送装置の無線ネットワークの範囲内にあるか否かを確定し、ＹＥＳであると、前記無線信号転送装置により、自動呼出同期機能をオンする命令をそれぞれ前記移動端末及び前記固定端末に送信するものである、
ことを特徴とする請求項１に記載の自動呼出同期システム。
【請求項３】
前記パターン認識装置は、前記移動端末が前記無線信号転送装置の無線ネットワークの範囲内にあると確定したとき、前記無線信号転送装置により前記移動端末の識別情報を取得し、前記移動端末への認証が成功した後、前記無線信号転送装置により自動呼出同期機能をオンする命令をそれぞれ前記移動端末及び前記固定端末に送信する、
ことを特徴とする請求項２に記載の自動呼出同期システム。
【請求項４】
前記移動端末は、さらに、前記無線信号転送装置の無線ネットワークの範囲内を離れたと確定したとき、自動呼出同期機能をオフするものである、
ことを特徴とする請求項２に記載の自動呼出同期システム。
【請求項５】
前記パターン認識装置は、さらに、前記無線信号転送装置の無線ネットワークの範囲内に移動端末が存在するか否かを確定し、ＮＯであると、前記無線信号転送装置により自動呼出同期機能をオフする命令を前記固定端末に送信する、
ことを特徴とする請求項２に記載の自動呼出同期システム。
【請求項６】
前記固定端末は音声再生モジュール及び／又は表示モジュールを有し、
前記固定端末は、前記呼出アクセス要求を受信した後、前記音声再生モジュール及び／又は表示モジュールにより前記移動端末のユーザを呼出すものである、
ことを特徴とする請求項１〜５の何れか１項に記載の自動呼出同期システム。
【請求項７】
前記固定端末は表示モジュールを有し、
前記パターン認識装置は、さらに、前記無線信号転送装置により前記固定端末からの前記移動端末の識別情報を保有するアドレス指定要求を送信し、前記移動端末の識別情報に応じて前記移動端末を認証し、認証が成功した後、前記無線信号転送装置により、対応する移動端末にアドレス指定情報取得要求を送信するものであり、
前記移動端末は、さらに、前記無線信号転送装置から転送される前記アドレス指定情報取得要求を受信した後、表示のように記憶される対応する情報を前記無線信号転送装置により前記固定端末に送信するものである、
ことを特徴とする請求項１〜５の何れか１項に記載の自動呼出同期システム。
【請求項８】
前記パターン認識装置及び前記無線信号転送装置は前記固定端末内に集積される、
ことを特徴とする請求項１〜５の何れか１項に記載の自動呼出同期システム。
【請求項９】
前記パターン認識装置は前記無線信号転送装置内に集積される、
ことを特徴とする請求項１〜５の何れか１項に記載の自動呼出同期システム。
【請求項１０】
自動呼出同期方法であって、
移動端末は着信呼出信号を受信し、且つ自動呼出同期機能をオンにしたと確定したとき、パターン認識装置に接続される無線信号転送装置に、前記移動端末の識別情報及び呼出情報を保有する呼出同期要求を送信するステップと、
パターン認識装置は、前記無線信号転送装置から転送される呼出同期要求を受信した後、前記移動端末の識別情報に応じて前記移動端末を認証し、認証が成功した後、前記無線信号転送装置により前記移動端末の識別情報及び呼出情報を保有する呼出アクセス要求を固定端末に送信するステップと、
前記固定端末は前記呼出アクセス要求を受信した後、前記移動端末の識別情報及び呼出情報に応じて前記移動端末のユーザを呼出すステップと、
前記ユーザが前記固定端末を用いて呼出を受話するとき、前記固定端末は前記無線信号転送装置に呼出アクセス応答を送信し、前記固定端末にマッチングされる固定電話運用ネットワークにより通話を実現するステップと、を備え、
前記ユーザが前記固定端末を用いて受話すると確定した後に、前記ユーザがさらに前記移動端末を用いて受話すると確定したとき、前記移動端末は前記無線信号転送装置により前記移動端末の識別情報を保有する通話アクセス要求を前記パターン認識装置に送信するステップと、
前記パターン認識装置は、前記無線信号転送装置から転送される前記呼出アクセス応答及び前記通話アクセス要求を受信した後、前記移動端末の識別情報に応じて前記移動端末を認証し、認証が成功した後、前記無線信号転送装置により前記移動端末と前記固定端末との間の通信路を確立するステップと、をさらに備え、
前記移動端末と前記固定端末と発呼者との間で同時に三者会話を行うために、前記移動端末と前記固定端末との間で無線ネットワークを介して前記固定端末に配信された後、前記固定端末に整合した前記固定電話運用ネットワークを用いて前記発呼者と前記移動端末との間の会話を実現する
ことを特徴とする自動呼出同期方法。
【請求項１１】
前記パターン認識装置は、前記移動端末が前記無線信号転送装置の無線ネットワークの範囲内にあるか否かを確定し、ＹＥＳであると、前記無線信号転送装置により自動呼出同期機能をオンする命令をそれぞれ前記移動端末及び前記固定端末に送信するステップをさらに備える、
ことを特徴とする請求項１０に記載の自動呼出同期方法。
【請求項１２】
前記パターン認識装置は、前記移動端末が前記無線信号転送装置の無線ネットワークの範囲内にあると確定したとき、前記無線信号転送装置により前記移動端末の識別情報を取得し、前記移動端末への認証が成功した後、前記無線信号転送装置により自動呼出同期機能をオンする命令をそれぞれ前記移動端末及び前記固定端末に送信するステップをさらに備える、
ことを特徴とする請求項１１に記載の自動呼出同期方法。
【請求項１３】
前記移動端末は前記無線信号転送装置の無線ネットワークの範囲内を離れたと確定したとき、自動呼出同期機能をオフするステップをさらに備える、
ことを特徴とする請求項１１に記載の自動呼出同期方法。
【請求項１４】
前記パターン認識装置は前記無線信号転送装置の無線ネットワークの範囲内に移動端末が存在するか否かを確定し、ＮＯであると、前記無線信号転送装置により自動呼出同期機能をオフする命令を前記固定端末に送信するステップ、をさらに備える、
ことを特徴とする請求項１１に記載の自動呼出同期方法。
【請求項１５】
前記パターン認識装置は前記無線信号転送装置により前記固定端末からの前記移動端末の識別情報を保有するアドレス指定要求を受信し、前記移動端末の識別情報に応じて前記移動端末を認証し、認証が成功した後、前記無線信号転送装置により、アドレス指定情報取得要求を対応する移動端末に送信するステップと、
前記移動端末は前記無線信号転送装置から転送されるアドレス指定情報受信要求を受信した後、表示のように記憶される対応する情報を前記無線信号転送装置により前記固定端末に送信するステップと、をさらに備える、
ことを特徴とする請求項１０〜１４の何れか１項に記載の自動呼出同期方法。
【発明の詳細な説明】
【技術分野】
【０００１】
本発明は通信技術分野に関し、特に自動呼出同期システム及び方法に関する。
【背景技術】
【０００２】
通信技術の発達につれて、固定端末及び移動端末等の複数種の通信手段は既に人々の生活及び仕事に普及した。ところが、移動端末を介して通話する場合に電磁波の輻射が存在し、長い間利用すると人体の健康問題の原因になる。移動端末を用いて通話する場所は、通常、自宅又はオフィス等の固定場所であり、これらの固定場所には、固定端末が一般的に設置されている。現在では、ユーザの自発的な設定により移動端末と固定端末との間の呼転送を実現することができ、例えば、呼転送機能を有効にする移動端末のユーザが自宅又はオフィスにいる場合、呼転送の番号をその固定端末の番号に設定し、ユーザの移動端末が呼出されるとき、固定端末を通じて受話することができる。然し、現在の呼転送機能は自動化度が低くて、ユーザにより設定及び関連操作をしなければ、呼転送機能を有効及び無効にすることができない。ユーザの所在する位置及び環境が変化する場合、呼転送の番号もそれに応じて自発的に変更する必要があり、ユーザの負担が向上され、ユーザの利用の便利性及び自発性が大幅に限定される。
【０００３】
したがって、呼転送の機能の自動化度を向上させ、ユーザの利用を便利にさせることは、当業者が緊急に解決すべき課題になる。
【発明の概要】
【発明が解決しようとする課題】
【０００４】
これに鑑み、本発明は、呼出同期機能の自動化度を向上させるための自動呼出同期システム及び方法を提供する。
【課題を解決するための手段】
【０００５】
従って、本発明は自動呼出同期システムを提供し、この自動呼出同期システムは、無線信号転送装置と、無線通信モジュールを有する少なくとも１つ移動端末と、無線通信モジュールを有する固定端末と、前記無線信号転送装置に接続されるパターン認識装置と、を備え、
前記移動端末は、着信呼出信号を受信し、且つ自動呼出同期機能をオンにしたと確定したとき、前記移動端末の識別情報及び呼出情報を保有する呼出同期要求を前記無線信号転送装置に送信するものであり、
前記パターン認識装置は、前記無線信号転送装置から転送される呼出同期要求を受信した後、前記移動端末の識別情報に応じて前記移動端末を認証し、認証が成功した後、前記無線信号転送装置によって前記移動端末の識別情報及び呼出情報を保有する呼出アクセス要求を前記固定端末に送信するものであり、
前記固定端末は、前記呼出アクセス要求を受信した後、前記移動端末の識別情報及び呼出情報に応じて前記移動端末のユーザを呼出し、前記ユーザが前記固定端末を用いて呼出を受話するとき、前記無線信号転送装置に呼出アクセス応答を送信し、前記固定端末にマッチングされる固定電話運用ネットワークによって通話を実現するものである。
【０００６】
１つの可能な実施形態では、本発明に提供される上記自動呼出同期システムにおいて、前記移動端末は、さらに、前記ユーザが前記移動端末を用いて受話すると確定したとき、前記無線信号転送装置によって前記移動端末の識別情報を保有する通話アクセス要求を前記パターン認識装置に送信するものであり、
前記パターン認識装置は、さらに、前記無線信号転送装置から転送される前記呼出アクセス応答及び前記通話アクセス要求を受信した後、前記移動端末の識別情報に応じて前記移動端末を認証し、認証が成功した後、前記無線信号転送装置によって前記移動端末と前記固定端末との間の通信路を確立するものである。
【０００７】
１つの可能な実施形態では、本発明に提供される上記自動呼出同期システムにおいて、前記パターン認識装置は、さらに、前記移動端末が前記無線信号転送装置の無線ネットワークの範囲内にあるか否かを確定し、ＹＥＳであると、前記無線信号転送装置によって自動呼出同期機能をオンする命令をそれぞれ前記移動端末及び前記固定端末に送信するものである。
【０００８】
１つの可能な実施形態では、本発明に提供される上記自動呼出同期システムにおいて、前記パターン認識装置は、具体的に、前記移動端末が前記無線信号転送装置の無線ネットワークの範囲内にあると確定したとき、前記無線信号転送装置によって前記移動端末の識別情報を取得し、前記移動端末への認証が成功した後、前記無線信号転送装置によって自動呼出同期機能をオンする命令をそれぞれ前記移動端末及び前記固定端末に送信するものである。
【０００９】
１つの可能な実施形態では、本発明に提供される上記自動呼出同期システムにおいて、前記移動端末は、さらに、前記無線信号転送装置の無線ネットワークの範囲内を離れたと確定したとき、自動呼出同期機能をオフするものである。
【００１０】
１つの可能な実施形態では、本発明に提供される上記自動呼出同期システムにおいて、前記パターン認識装置は、さらに、前記無線信号転送装置の無線ネットワークの範囲内に移動端末が存在するか否かを確定し、ＮＯであると、前記無線信号転送装置によって自動呼出同期機能をオフする命令を前記固定端末に送信するものである。
【００１１】
１つの可能な実施形態では、本発明に提供される上記自動呼出同期システムにおいて、前記固定端末は、音声再生モジュール及び／又は表示モジュールを有し、
前記固定端末は、具体的に、前記呼出アクセス要求を受信した後、前記音声再生モジュール及び／又は表示モジュールによって前記移動端末のユーザを呼出すものである。
【００１２】
１つの可能な実施形態では、本発明に提供される上記自動呼出同期システムにおいて、前記固定端末は表示モジュールを有し、
前記パターン認識装置は、さらに、前記無線信号転送装置によって前記固定端末からの前記移動端末の識別情報を保有するアドレス指定要求を受信し、前記移動端末の識別情報に応じて前記移動端末を認証し、認証が成功した後、前記無線信号転送装置によってアドレス指定情報取得要求を対応する移動端末に送信するものであり、
前記移動端末は、さらに、前記無線信号転送装置から転送される前記アドレス指定情報取得要求を受信した後、表示のように、記憶される対応する情報を前記無線信号転送装置によって前記固定端末に送信するものである。
【００１３】
１つの可能な実施形態では、本発明に提供される上記自動呼出同期システムにおいて、前記パターン認識装置及び前記無線信号転送装置は前記固定端末内に集積される。
【００１４】
１つの可能な実施形態では、本発明実施例に提供される上記自動呼出同期システムにおいて、前記パターン認識装置は前記無線信号転送装置内に集積される。
【００１５】
本発明実施例は、さらに、自動呼出同期の方法を提供し、この自動呼出同期の方法は、
移動端末は、着信呼出信号を受信して自動呼出同期機能をオンにしたと確定したとき、前記移動端末の識別情報及び呼出情報を保有する呼出同期要求をパターン認識装置に接続される無線信号転送装置に送信するステップと、
パターン認識装置は、前記無線信号転送装置から転送される呼出同期要求を受信した後、前記移動端末の識別情報に応じて前記移動端末を認証し、認証が成功した後、前記無線信号転送装置によって前記移動端末の識別情報及び呼出情報を保有する呼出アクセス要求を固定端端末に送信するステップと、
前記固定端末は、前記呼出アクセス要求を受信した後、前記移動端末の識別情報及び呼出情報に応じて前記移動端末のユーザを呼出すステップと、
前記ユーザが前記固定端末を用いて呼出を受話するとき、前記固定端末は、前記無線信号転送装置に呼出アクセス応答を送信し、前記固定端末にマッチングされる固定電話運用ネットワークにより通話を実現するステップと、を備える。
【００１６】
１つの可能な実施形態では、本発明に提供される上記自動呼出同期方法は、
前記ユーザが前記移動端末を用いて受話すると確定したとき、前記移動端末は、前記無線信号転送装置によって前記移動端末の識別情報を保有する通話アクセス要求を前記パターン認識装置に送信するステップと、
前記パターン認識装置は、前記無線信号転送装置から転送される前記呼出アクセス応答及び前記通話アクセス要求を受信した後、前記移動端末の識別情報に応じて前記移動端末を認証し、認証が成功した後、前記無線信号転送装置によって前記移動端末と前記固定端末との間の通信路を確立するステップと、をさらに備える。
【００１７】
１つの可能な実施形態では、本発明に提供される上記自動呼出同期方法は、
前記パターン認識装置は、前記移動端末が前記無線信号転送装置の無線ネットワークの範囲内にあるか否かを確定し、ＹＥＳであると、前記無線信号転送装置によって自動呼出同期機能をオンする命令を前記移動端末及び前記固定端末にそれぞれ送信するステップ、をさらに備える。
【００１８】
１つの可能な実施形態では、本発明に提供される上記自動呼出同期方法は、具体的に、
前記パターン認識装置は、前記移動端末が前記無線信号転送装置の無線ネットワーク範囲内にあると確定したとき、前記無線信号転送装置によって前記移動端末の識別情報を取得し、前記移動端末への認証が成功した後、前記無線信号転送装置によって自動呼出同期機能をオンする命令をそれぞれ前記移動端末及び前記固定端末に送信するステップを備える。
【００１９】
１つの可能な実施形態では、本発明に提供される上記自動呼出同期方法は、
前記移動端末は、前記無線信号転送装置の無線ネットワークの範囲内を離れたと確定したとき、自動呼出同期機能をオフするステップをさらに備える。
【００２０】
１つの可能な実施形態では、本発明に提供される上記自動呼出同期方法は、
前記パターン認識装置は、前記無線信号転送装置の無線ネットワークの範囲内に移動端末が存在するか否かを確定し、ＮＯであると、前記無線信号転送装置により自動呼出同期機能をオフする命令を前記固定端末に送信するステップをさらに備える。
【００２１】
１つの可能な実施形態では、本発明実施例に提供される上記自動呼出同期方法は、
前記パターン認識装置は、前記無線信号転送装置により前記固定端末からの前記移動端末の識別情報を保有するアドレス指定要求を受信し、前記移動端末の識別情報に応じて前記移動端末を認証し、認証が成功した後、前記無線信号転送装置により、アドレス指定情報取得要求を対応する移動端末に送信するステップと、
前記移動端末は前記無線信号転送装置から転送される前記アドレス指定情報取得要求を受信した後、表示のように記憶される対応する情報を前記無線信号転送装置により前記固定端末に送信するステップと、さらにを備える。
【００２２】
本発明に提供される自動呼出同期システム及び方法であって、そのシステムは、無線信号転送装置、無線通信モジュールを有する少なくとも１つの移動端末、無線通信モジュールを有する固定端末、及び無線信号転送装置に接続されるパターン認識装置を備え、移動端末は、着信呼出信号を受信して自動呼出同期機能をオンしたと確定したとき、移動端末の識別情報及び呼出情報を保有する呼出同期要求を無線信号転送装置に送信するものであり、パターン認識装置は、無線信号転送装置から転送される呼出同期要求を受信した後、移動端末の識別情報に応じて移動端末を認証し、認証が成功した後、無線信号転送装置により移動端末の識別情報及び呼出情報を保有する呼出アクセス要求を固定端末に送信するものであり、固定端末は、呼出アクセス要求を受信した後、移動端末の識別情報及び呼出情報に応じて移動端末のユーザを呼出し、ユーザが固定端末を用いて呼出を受話するとき、無線信号転送装置に呼出アクセス応答を送信し、固定端末にマッチングされる固定電話運用ネットワークにより通話を実現するものである。本発明に提供される上記自動呼出同期システムによれば、移動端末が呼出信号を受信するときに呼出信号を固定端末に自動に同期することができ、ユーザが移動端末及び／又は固定端末を用いて呼出を受話することができ、ユーザの呼出への受話が便利になり、呼出同期機能の自動化度も向上されるとともに、呼出を受話するときに固定端末にマッチングされる固定電話運用ネットワークにより通話を実現することにより、通信料金を節約することができる。
【図面の簡単な説明】
【００２３】
【図１】本発明実施例に係る自動呼出同期システムの１つの構造概略図である。
【図２】本発明実施例に係る自動呼出同期システムのもう１つの構造概略図である。
【図３】本発明実施例に係る自動呼出同期システムのもう１つの構造概略図である。
【図４】本発明実施例に係る自動呼出同期システムの１つのシグナリング相互作用図である。
【図５】本発明実施例に係る自動呼出同期システムのもう１つのシグナリング相互作用図である。
【図６】本発明実施例に係る自動呼出同期システムのもう１つのシグナリング相互作用図である。
【図７】本発明実施例に係る自動呼出同期方法の概略のフローチャートである。
【発明を実施するための形態】
【００２４】
以下、図面を組み合わせて、本発明実施例に提供される自動呼出同期システム及び方法の具体的な実施形態について具体的に説明する。
【００２５】
本発明実施例は自動呼出同期システムを提供し、図１に示すように、この自動呼出同期システムは、無線通信モジュールを有する少なくとも１つの移動端末１０１と、無線通信モジュールを有する固定端末１０２と、パターン認識装置１０３と、パターン認識装置１０３に接続される無線信号転送装置１０４と、を備え、
移動端末１０１は、着信呼出信号を受信し、且つ自動呼出同期機能をオンにしたと確定したとき、移動端末１０１の識別情報及び呼出情報を保有する呼出同期要求を無線信号転送装置１０４に送信するものであり、
パターン認識装置１０３は、無線信号転送装置１０４から転送される呼出同期要求を受信した後、移動端末１０１の識別情報に応じて移動端末１０１を認証し、認証が成功した後、無線信号転送装置１０４により移動端末１０１の識別情報及び呼出情報を保有する呼出アクセス要求を固定端末１０２に送信するものであり、
固定端末１０２は、呼出アクセス要求を受信した後、移動端末１０１の識別情報及び呼出情報に応じて移動端末１０１のユーザを呼出し、ユーザが固定端末１０２により呼出を受話する場合、無線信号転送装置１０４に呼出アクセス応答を送信し、固定端末１０２とマッチングされる固定電話運用ネットワークにより通話を実行するものである。
【００２６】
ここで、固定電話の運用ネットワークは、一般的に中国網通、中国移動、中国電信等のオペレータに提供される相応な電話回線ネットワークを備え、固定端末は、一般的に、固定電話のオペレータに提供されるネットワークにより通話を実現するのであり、移動端末は、一般的に、移動端末のオペレータに提供されるネットワークにより通話を実現するのであり、このように、固定端末の通話を実現するオペレータのネットワークは移動端末の通話を実現するオペレータのネットワークと異なっている。従って、本発明実施例に係る上記自動呼出同期システムにおいて、ユーザが固定端末を用いて呼出を受話したとき、固定端末及び移動端末はオペレータを自動に切り替え、元々の移動端末のオペレータを固定端末のオペレータに切り替える。
【００２７】
本発明実施例に係る上記自動呼出同期システムによれば、移動端末で呼出信号を受信したときに呼出信号を固定端末に自動に同期することができ、これにより、ユーザは移動端末及び／又は固定端末を選択して呼出を受話することができ、ユーザの呼出への受話を便利にさせることができ、呼出同期機能の自動化度も向上されるとともに、呼出を受話するときに固定端末にマッチングされる固定電話運用ネットワークにより通話を実現することにより、通信料金を節約することができる。
【００２８】
具体的に実施するときに、移動端末１０１がパターン認識装置１０３へ送信する呼出同期要求に保有されている識別情報は、具体的に、移動端末１０１のＩＤ情報又はユーザの番号情報等の情報であってもよく、呼出情報は、具体的に、呼出元のユーザの名前、番号情報等の情報であってもよい。パターン認識装置１０３は無線信号転送装置１０４から転送される移動端末１０１からの呼出同期要求を受信した後、パターン認識装置１０３は、移動端末１０１からの対応する識別情報と自体のデータベース情報に応じて計算を行なってマッチングし、マッチングが成功することは、この移動端末１０１への認証が成功することを表し、そして、無線信号転送装置１０４により固定端末１０２へ呼出アクセス要求を送信する。
【００２９】
具体的に実施する場合、本発明実施例に提供される上記自動呼出同期システムにおいて、固定端末１０２は、呼出アクセス要求を受信した後、対応する移動端末１０１のユーザを正確に呼出すために、一般的に音声再生モジュール及び／又は表示モジュールを有する。具体的に、固定端末１０２は音声再生モジュール及び／又は表示モジュールを通じて移動端末１０１のユーザを呼出してもよい。例えば、張さんが李さんの移動端末を呼出し、固定端末は、呼出アクセス要求を受信した後、音声再生モジュールにより張さんの番号が李さんの移動端末番号、名前又はその他の情報を呼出していることを音声で提示してもよいし、表示モジュールにより張さんの移動端末番号、名前又はその他の情報が李さんを呼出していることを固定端末の表示スクリーンで表示してもよい。これにより、自分の移動端末が呼出アクセス要求を受信したことを李さんに確認させることは便利になる。呼出番号及び呼び出される者の名前を用いて呼出すことは、例の過ぎず、具体的に実施する場合、その他の設定方式を用いてユーザに対して着信呼を行ってもよく、ここで制限しない。
【００３０】
さらに、本発明実施例に提供される上記自動呼出同期システムにおいて、具体的に実施する場合、固定端末がユーザを呼出す場合、ユーザは固定端末を用いてこの呼出を受話する場合があり、ユーザは移動端末を用いてこの呼出を受話する場合もある。発明者が既知のように、ユーザが固定端末及び移動端末の中の１つを選択して呼出を受話すると、選択されていない端末は通話にアクセスされない。これに対して、本発明実施例に提供される上記自動呼出同期システムは、移動端末１０１、固定端末１０２及び発呼者の間の三者通話を実現でき、即ち、ユーザが固定端末１０２を用いてこの呼出を受話した後、移動端末１０１は、さらに、ユーザが移動端末１０１を用いて受話すると確定したとき、無線信号転送装置１０４により移動端末１０１の識別情報を保有する通話アクセス要求をパターン認識装置１０３へ送信してもよく、パターン認識装置１０３は、さらに、無線信号転送装置１０４から転送される呼出アクセス応答及び移動端末１０１からの通話アクセス要求を受信した後、移動端末１０１の識別情報に応じて移動端末１０１を認証し、認証が成功した後に無線信号転送装置１０４により移動端末１０１と固定端末１０２との間の通信路を確立し、これにより、三者の同期通話が実現される。
【００３１】
ここで、三者通話を実現する場合、この通話と発呼者との間の通信は、実際に固定端末１０２にマッチングされる固定電話運用ネットワークにより実現されるのであり、発呼者と移動端末との間の通話は実際に移動端末１０１と固定端末１０２との間の無線ネットワークを経てから固定端末１０２に伝送された後に固定端末１０２にマッチングされる固定電話運用ネットワークにより実現されるのであるため、実際に移動端末１０１と呼出ユーザとの間の直接な通話チャンネルが確立されておらず、通信料金が増加しない。
【００３２】
具体的に実施する場合、本発明実施例に提供される上記自動呼出同期システムは、さらに、移動端末１０１及び固定端末１０２が自動呼出同期機能をオンすることを自動に制御する機能を有する。具体的には、パターン認識装置１０３は、さらに、移動端末１０１が無線信号転送装置１０４の無線ネットワークの範囲内にあるか否かを確定し、ＹＥＳであると、無線信号転送装置１０４により自動呼出同期機能をオンする命令をそれぞれ移動端末１０１及び固定端末１０２に送信し、これにより、移動端末１０１が無線信号転送装置１０４の無線ネットワークの範囲内にあるとき、移動端末１０１及び固定端末１０２は自動呼出同期機能をオンにして、後続で呼出自動同期の機能の実現が便利になる。
【００３３】
さらに、本発明実施例に提供される上記自動呼出同期システムにおいて、具体的に実施する場合、無線信号転送装置の無線ネットワークのセキュリティを確保するために、パターン認識装置１０３は、無線信号転送装置１０４により自動呼出同期機能をオンする命令をそれぞれ移動端末１０１及び固定端末１０２に送信する前に、移動端末１０１を認証して、この無線ネットワーク内に登録されていない移動端末を除外してもよい。具体的に、パターン認識装置１０３は、移動端末１０１が無線信号転送装置１０４の無線ネットワークの範囲内にあると確定したとき、無線信号転送装置１０４により移動端末１０１の識別情報を取得して、移動端末１０１への認証が成功した後、無線信号転送装置１０４により自動呼出同期機能をオンする命令をそれぞれ移動端末和固定端末に送信し、このように、パターン認識装置１０３により移動端末１０１を認証した後、自動呼出同期機能をオンする命令を送信することにより、無線ネットワークのセキュリティを強化することができる。
【００３４】
具体的に実施する場合、パターン認識装置１０３は移動端末１０１が無線信号転送装置１０４の無線ネットワークの範囲内にあるか否かを確定することは、以下の複数の方法を用いて実現でき、例えば、無線信号転送装置１０４及びパターン認識装置１０３が位置する部屋のドアに、移動端末１０１を持つユーザが入室するか否かを監視する信号センサなどのような装置を設置し、入室後、センサの信号に接続されるパターン認識装置１０３は、移動端末１０１が無線信号転送装置１０４の無線ネットワークの範囲内に位置すると認識し、無線信号転送装置１０４により自動呼出同期機能をオンする命令をそれぞれ移動端末１０１及び固定端末１０２に送信する。さらに例えば、パターン認識装置１０３に接続される無線信号転送装置１０４は、設定の秒数毎に外部へ無線信号を送信し、移動端末１０１が無線信号転送装置１０４の無線ネットワークの範囲内に入ると、移動端末１０１が無線信号を受信した後に信号をフィードバックし、このとき、パターン認識装置１０３は、このフィードバック信号を受信した後、無線信号転送装置１０４により自動呼出同期機能をオンする命令をそれぞれ移動端末１０１及び固定端末１０２に送信する。
【００３５】
具体的に実施する場合、本発明実施例に提供される上記自動呼出同期システムにおいて、移動端末１０１は、さらに、無線信号転送装置１０４の無線ネットワークの範囲を離れたと確定したとき、自動呼出同期機能をオフするものである。これにより、移動端末１０１が無線信号転送装置１０４の無線ネットワークの範囲を離れたと、移動端末１０１は自動呼出同期機能をオフして、移動端末１０１が着信呼出信号を受信するとき、移動端末１０１は、パターン認識装置１０３に呼出同期要求を送信することがなく、発明者が既知のようにユーザが設定を自発的にキャンセルしなければならないことに比べ、複雑な操作が低減され、便利になる。
【００３６】
具体的に実施する場合、本発明実施例に提供される上記自動呼出同期システムにおいて、パターン認識装置１０３は、さらに、無線信号転送装置１０４の無線ネットワークの範囲内に移動端末１０１が存在するか否かを確定し、ＮＯであると、無線信号転送装置１０４により自動呼出同期機能をオフする命令を固定端末１０２に送信する。
【００３７】
具体的に実施する場合、本発明実施例に提供される上記自動呼出同期システムは、さらに、固定端末を用いて移動端末に記憶される番号を呼出す機能を実現できる。具体的に、ユーザによる呼出の便利上に、移動端末に記憶される番号を固定端末でサーチすることを便利にさせるために、固定端末１０２は、一般的に、表示モジュールを有し、ユーザは、固定端末により特定の移動端末へのアドレス指定要求をパターン認識装置１０３に送信し、例えばユーザは、ある移動端末にマッチングされるボタンを固定端末１０２でトリガした後、固定端末１０２は、この移動端末の識別情報を保有するアドレス指定要求を無線信号転送装置１０４に送信し、無線信号転送装置１０４は、固定端末１０２からの移動端末１０１の識別情報を保有するアドレス指定要求を受信した後、それをパターン認識装置１０３に送信して認証する。具体的に、パターン認識装置１０３は、さらに、無線信号転送装置１０４により固定端末１０２からの移動端末１０１の識別情報を保有するアドレス指定要求を受信し、移動端末１０１の識別情報に応じて移動端末１０１を認証し、認証が成功した後、無線信号転送装置１０４により、アドレス指定情報取得要求を対応する移動端末に送信する。具体的に、以下はパターン認識装置１０３により移動端末１０１を認証する過程である。パターン認識装置１０３は、先ず、アドレス指定要求の情報と自体のデータベース情報とを計算してマッチングし、マッチングが成功すると、この移動端末１０１への認証が成功することを表す。移動端末１０１は、さらに、無線信号転送装置１０４から転送されるアドレス指定情報取得要求を受信した後、表示を行なうように記憶される対応する情報をパターン認識装置により固定端末に送信し、これにより、ユーザは、移動端末１０１に記憶される番号を固定端末１０２で自発的に呼出すことができる。ここで、移動端末１０１に記憶される対応する情報は、電話帳、ショートメッセージ、閲覧したウェブページ等の情報を備えてもよく、ここで制限しない。
【００３８】
例えば、張さんは李さんの移動端末を呼ぶ必要があり、張さんは固定端末を用いて張さんの移動端末のＩＤ情報を保有するアドレス指定要求を無線信号転送装置へ送信し、無線信号転送装置は、このアドレス指定要求をパターン認識装置に送信し、パターン認識装置は、移動端末のＩＤ情報に応じて張さんの移動端末に対して身分認証を行い、身分認証が成功した後、パターン認識装置は、認識したＩＤ情報を有する移動端末にアドレス指定情報取得要求を送信することを無線信号転送装置に通知し、このとき、張さんの移動端末は、張さんに表示するために、アドレス指定情報要求を受信した後、記憶される李さんの移動端末番号を含む情報を無線信号転送装置によって固定端末に送信し、張さんは、固定端末を用いて表示スクリーンに表示される番号に応じて李さんの移動端末を呼出すことができるようになる。
【００３９】
具体的に実施する場合、本発明実施例に提供される上記自動呼出同期システムにおいて、パターン認識装置１０３及び無線信号転送装置１０４の集積方式は複数ある。例えば、図２に示すように、パターン認識装置１０３及び無線信号転送装置１０４は固定端末１０２内に集積されてもよい。これにより、装置の間の集積程度が向上されるとともに、装置の占用空間も低減される。さらに、図３に示すように、パターン認識装置１０３を無線信号転送装置１０４内に集積し、無線信号転送装置１０４と固定端末１０２とを別体に設計してもよい。
【００４０】
以下は、３つの具体的な実例により、本発明実施例に提供される自動呼出同期システムが自動呼出同期を実現する方法について具体的に説明する。
【００４１】
実例一、図４に示すように、以下は自動呼出同期を実現する具体的なステップである。
１、基地局は移動端末に着信呼出信号を送信する。
２、移動端末は着信呼出信号を受信して自動呼出同期機能をオンにしたと確定したとき、移動端末の識別情報及び呼出情報を保有する呼出同期要求を無線信号転送装置に送信する。
３、無線信号転送装置はパターン認識装置に呼出同期要求を転送する。
４、パターン認識装置は、移動端末の識別情報に応じて移動端末を認証する。
【００４２】
具体的に実施する場合、移動端末を認証する方法は通常の認証方法であってもよく、移動端末の識別情報とパターン認識装置のデータベースに記憶される識別情報とを直接に比較し、正しいか否かを判定してもよい。このような認証方法は複数あり、ここで限定しない。
【００４３】
５、パターン認識装置は、認証が成功した後、無線信号転送装置によって、移動端末の識別情報及び呼出情報を保有する呼出アクセス要求を固定端末に送信する。
６、固定端末は、移動端末の識別情報及び呼出情報に応じて移動端末のユーザを呼出す。
７、ユーザが固定端末を用いて呼出を受話するとき、固定端末は、無線信号転送装置へ呼出アクセス応答を送信する。
８、固定端末のネットワーク運用を同期に起動する。
９、固定端末は、固定端末にマッチングされる固定電話運用ネットワークを介して通話の通信を確立する。
【００４４】
上記のように、実例に提供される上記ステップ１〜９により自動呼出同期機能を実現することにより、固定端末を用いて呼出を受話することができ、通信料金を節約することができる。
【００４５】
実例二、図５に示すように、以下は自動呼出同期を実現する具体的なステップである。
【００４６】
ステップ１及び９は実例一のステップ１及び９と全く同じであり、ここで繰り返して説明しない。
【００４７】
ステップ９において、固定端末は固定端末にマッチングされる固定電話運用ネットワークにより通話の通信を確立した後、下記の具体的なステップをさらに行ってもよい。
１０、ユーザが移動端末を用いて受話すると確定したとき、移動端末は、移動端末の識別情報を保有する通話アクセス要求を無線信号転送装置に送信する。
１１、無線信号転送装置は、パターン認識装置に通話アクセス要求を転送する。
１２、パターン認識装置は、移動端末の識別情報に応じて移動端末を認証する。
１３、パターン認識装置は認証が成功した後、無線信号転送装置によって移動端末と固定端末との間の通信路を確立する。
上記のように、実例に提供される上記ステップ１〜１３により三者の通話同時機能が実現される。
【００４８】
実例三、図６に示すように、以下は自動呼出同期を実現する具体的なステップである。
１、固定端末は、移動端末の識別情報を保有するアドレス指定要求を無線信号転送装置に送信する。
２、無線信号転送装置は、アドレス指定要求をパターン認識装置から転送する。
３、パターン認識装置は、移動端末の識別情報に応じて移動端末を認証する。
４、パターン認識装置は、認証が成功した後、無線信号転送装置によって、アドレス指定情報取得要求を対応する移動端末に送信する。
５、移動端末は、記憶される対応情報を無線信号転送装置によって固定端末に送信して表示する。
６、ユーザは、固定端末に表示される番号から呼出番号を選択する場合、固定端末はこの呼出番号を発呼する。
【００４９】
上記のように、実例に提供される上記ステップ１〜６により固定端末を用いて移動端末に記憶される番号を呼出す機能が実現され、固定端末を用いて呼出すことで通信料金を節約できる及び／又は便利な操作を提供できる。ここで、時には、より便利にさせるために、仮にユーザは固定端末の近傍に位置し、移動電話を持っていない場合、直接に固定電話を用いて呼出すことができ、移動電話を探す必要が無い。
【００５０】
同じ発明構想に基づき、本発明実施例は、さらに、自動呼出同期の方法を提供する。この方法により問題を解決する原理は、上記自動呼出同期システムと類似するので、この方法の実施についてはシステムの実施を参照すればよく、繰り返して説明しない。
【００５１】
具体的に、本発明実施例に提供される自動呼出同期の方法は、図７に示すように、下記のステップを備える。
【００５２】
Ｓ７０１、移動端末は、着信呼出信号を受信して自動呼出同期機能をオンにしたと確認したとき、パターン認識装置に接続される無線信号転送装置に、移動端末の識別情報及び呼出情報を保有する呼出同期要求を送信する。
【００５３】
Ｓ７０２、パターン認識装置は、無線信号転送装置から転送される呼出同期要求を受信した後、移動端末の識別情報に応じて移動端末を認証し、認証が成功した後、無線信号転送装置によって、移動端末の識別情報及び呼出情報を保有する呼出アクセス要求を固定端末へ送信する。
【００５４】
Ｓ７０３、固定端末は、呼出アクセス要求を受信した後、移動端末の識別情報及び呼出情報に応じて移動端末のユーザを呼出す。
【００５５】
Ｓ７０４、ユーザが固定端末を用いて呼出を受話するとき、固定端末は、無線信号転送装置へ呼出アクセス応答を送信し、固定端末にマッチングされる固定電話運用ネットワークにより通話を実現する。
【００５６】
１つの可能な実施形態では、本発明実施例に提供される上記自動呼出同期方法は、さらに、以下のステップを有してもよい。
ユーザが移動端末を用いて受話すると確定したとき、移動端末は、無線信号転送装置により移動端末の識別情報を保有する通話アクセス要求をパターン認識装置に送信し、
パターン認識装置は、無線信号転送装置から転送される呼出アクセス応答及び通話アクセス要求を受信した後、移動端末の識別情報に応じて移動端末を認証し、認証が成功した後、無線信号転送装置によって移動端末と固定端末との間の通信路を確立する。
【００５７】
１つの可能な実施形態では、本発明実施例に提供される上記自動呼出同期方法は、さらに、以下のステップを備えてもよい。
パターン認識装置は、移動端末が無線信号転送装置の無線ネットワークの範囲内にあるか否かを確定し、ＹＥＳであると、無線信号転送装置によって、自動呼出同期機能をオンする命令をそれぞれ移動端末及び固定端末に送信する。
【００５８】
１つの可能な実施形態では、本発明実施例に提供される上記自動呼出同期方法は、具体的に下記のステップを備える。
パターン認識装置は、移動端末が無線信号転送装置の無線ネットワークの範囲内にあると確定したとき、無線信号転送装置によって移動端末の識別情報を取得し、移動端末への認証が成功した後、無線信号転送装置によって、自動呼出同期機能をオンする命令をそれぞれ移動端末及び固定端末に送信する。
【００５９】
１つの可能な実施形態では、本発明実施例に提供される上記自動呼出同期方法は、さらに、下記のステップを備える。
移動端末が無線信号転送装置の無線ネットワークの範囲を離れたと確定したとき、自動呼出同期機能をオフする。
【００６０】
１つの可能な実施形態では、本発明実施例に提供される上記自動呼出同期方法は、さらに、下記のステップを備える。
パターン認識装置は、無線信号転送装置の無線ネットワークの範囲内に移動端末が存在するか否かを確定し、ＮＯであると、無線信号転送装置によって、自動呼出同期機能をオフする命令を固定端末に送信する。
【００６１】
１つの可能な実施形態では、本発明実施例に提供される上記自動呼出同期方法は、さらに、下記のステップを備える。
パターン認識装置は、無線信号転送装置によって固定端末からの移動端末の識別情報を保有するアドレス指定要求を受信し、移動端末の識別情報に応じて移動端末を認証し、認証が成功した後、無線信号転送装置によって、アドレス指定情報取得要求を対応する移動端末に送信し、
移動端末は、無線信号転送装置から転送されるアドレス指定情報取得要求を受信した後、記憶される対応する情報を無線信号転送装置によって固定端末に送信して表示する。
【００６２】
上記実施形態の説明によれば、当業者が明確に理解できるように、本発明実施例はハードウェアにより実現されることができるとともに、ソフトウェアに必要な汎用ハードウェアプラットフォームを組み合わせることで実現されることもできる。このような理解に基づき、本発明実施例の技術案はソフトウェア製品で体現されてもよく、このソフトウェア製品は不揮発性記憶媒体（例えばCD-ROM、UＳBディスク、取り外し可能なハードディスク等）に記憶されてもよく、１台のコンピュータ装置（例えばパーソナルコンピュータ、サーバ、或いはネットワーク装置等）に本発明の各実施例に記載の方法を実行させるための若干の命令を含む。
【００６３】
当業者が理解できるように、図面は好ましい実施例の概略図に過ぎず、図面におけるモジュール又はフローは必ずしも本発明に必須なものであるというわけではない。
【００６４】
当業者が理解できるように、実施例に記載の装置におけるモジュールは、実施例の記載により実施例の装置に分布してもよいし、本実施例と異なる１つまたは複数の装置に位置するように変更してもよい。上記実施例におけるモジュールは、１つのモジュールに結合されてもよいし、さらに複数のサブモジュールに分解してもよい。
【００６５】
上記本発明の実施例の番号は説明のためだけであり、実施例の優劣を表すものではない。
【００６６】
本発明実施例に提供される自動呼出同期システム及び方法において、このシステムは、無線信号転送装置、無線通信モジュールを有する少なくとも１つの移動端末、無線通信モジュールを有する固定端末、及び無線信号転送装置に接続されるパターン認識装置を備え、移動端末は、着信呼出信号を受信して、自動呼出同期機能をオンにしたと確定したとき、移動端末の識別情報及び呼出情報を保有する呼出同期要求を無線信号転送装置に送信するものであり、パターン認識装置は、無線信号転送装置から転送される呼出同期要求を受信した後、移動端末の識別情報に応じて移動端末を認証し、認証が成功した後、無線信号転送装置によって移動端末の識別情報及び呼出情報を保有する呼出アクセス要求を固定端末に送信するものであり、固定端末は、呼出アクセス要求を受信した後、移動端末の識別情報及び呼出情報に応じて移動端末のユーザを呼出し、ユーザが固定端末を用いて呼出を受話するとき、無線信号転送装置に呼出アクセス応答を送信し、固定端末にマッチングされる固定電話運用ネットワークにより通話を実現するものである。本発明実施例に提供される上記自動呼出同期システムは、ユーザが移動端末及び／又は固定端末の中の１つを選択して呼出を受話することを実現するように、移動端末が呼出信号を受信したときに呼出信号を固定端末に自動に同期することができ、且つ呼出同期機能の自動化度が向上され、さらに、呼出を受話するときに固定端末にマッチングされる固定電話運用ネットワークにより通話を実現することにより、通信料金を節約することができる。
【００６７】
当然ながら、当業者は、本発明の趣旨及び範囲から逸脱しない前提で本発明に対して各種の変更及び変形することができる。これにより、本発明に対するこれらの補正及び変形は本発明の請求項及びその同等な技術の範囲内に該当するなら、本発明はこれらの変更及び変形を含む。
本願は２０１４年１２月１９日付けに提出された中国特許出願第２０１４１０７９８４１６.２号の優先権を主張する。ここで、本願の一部として上記中国特許出願に開示された内容を全文引用する。
【符号の説明】
【００６８】
１０１  移動端末
１０２  固定端末
１０３  パターン認識装置
１０４  無線信号転送装置
【図１】
0006549158.tif 000002
【図２】
0006549158.tif 000003
【図３】
0006549158.tif 000004
【図４】
0006549158.tif 000005
【図５】
0006549158.tif 000006
【図６】
0006549158.tif 000007
【図７】
0006549158.tif 000008